(57)【要約】【課題】マッチやライター等の火で、安全確実に突き合わせ状に保持されている複数本のローソクの燃焼芯に一斉点火させることができ、燃焼芯への一斉点火が行われるまでは、前座的に花火が発生してこの花火を見て楽しむようにして会場の雰囲気を盛り上げるキャンドル装置を提供する。【解決手段】支持台７に支持した支柱１周りに、複数個の花びら状片２を上下方向に開閉動自在に支持し、各花びら状片２が閉じ位置を採る時に、各花びら状片２先端部に取着したローソク５が伏倒して燃焼芯５ａを支柱上方で突き合わせ状に保持され、燃焼芯５への一斉点火で各花びら状片２が展開し、開き位置で点火されたローソク５を各花びら状片２上に直立させるキャンドル装置において、支柱１上に、花火成分を含む導火薬層１４を心線１３ａ周りに形成した導火用棒１３を立設し、該導火用棒１３の基部寄りの導火薬層１４周りに各ローソク５の燃焼芯５ａを突き合わせ状に臨ませた。【選択図】  図１
2006202736.tif 000002
【特許請求の範囲】
【請求項１】
下部を支持台に上下動自在に支持した支柱周りに、複数個の花びら状片の基端を上下方向に開閉動自在に支持し、各花びら状片の先端部にローソクを取着し、各花びら状片が起立して閉じ位置を採る時に、各花びら状片のローソクが伏倒して燃焼芯を支柱上方で突き合わせてこの状態に保持され、燃焼芯への一斉点火で、この保持が解消されて各花びら状片が展開し、開き位置に落ち着いて点火されたローソクを各花びら状片上に直立させるキャンドル装置において、支柱上に、花火成分を含む導火薬層を心線周りに形成した導火用棒を立設し、該導火用棒の基部寄りの導火薬層周りに各ローソクの燃焼芯を突き合わせ状に臨ませたことを特徴とするキャンドル装置。
【請求項２】
各ローソクの燃焼芯の突き合わせ部位に対応して導火用棒に、高燃焼性チューブを緩挿状に被装し、該チューブ基部を遮熱手段を介して支柱上端に支持したことを特徴とする請求項１記載のキャンドル装置。
【請求項３】
遮熱手段が、高燃焼性チューブ基部に挿入される筒部と、該筒部下端に形成したフランジを有する受け座と、受け座上にあって高燃焼性チューブに被装される遮熱環からなることを特徴とする請求項２記載のキャンドル装置。
【請求項４】
導火用棒下部に心線を露出させ、該心線露出部を支柱中心に設けた支持孔に着脱自在に挿着して導火用棒を支柱に支持し、また、支柱上に筒部を延設し、該筒部内に支持孔を位置させて筒部内に導火薬層基部を緩挿状に挿入し、筒部開口端に遮熱手段を構成する受け座と遮熱環を同心状に支持したことを特徴とする請求項１乃至３のいずれかに記載のキャンドル装置。
【請求項５】
支柱を支持する支持台に、花びら状片基部に対応して受け部を設け、該受け部内にあって支持台と支柱間に、支柱を押上げ方向に付勢するばねを配装し、ばねに抗して支柱を支持台に対して下降させて花びら状片が閉じ位置を採る時に、花びら状片基部を受け部内に引き入れ、この状態で、支持台と支柱上の筒部開口端とを可燃性の固縛紐で連結し、該固縛紐を導火用棒の導火薬層に添接させ、導火薬層の燃焼時に熱で焼き切って支柱と支持台間の固縛を解くようにしたことを特徴とする請求項１乃至４のいずれかに記載のキャンドル装置。
【請求項６】
支柱を、導火用棒を立設した上部支柱と、支持台に支持した下部支柱に分断し、両支柱間にカップ状容体を挿設し、該カップ状容体内にメロディ発声回路ＩＣとスピーカーからなるメロディ発声装置を配置し、該メロディ発声装置を電源に接続するリード線の内、片方のリード線に、２本の導線を絶縁状態で捻り合わせた捻り線を用い、該捻り線基端で一方の導線をメロディ発声装置に、他方の導線を電源に接続し、捻り線遊端部を上部支柱沿いに燃焼芯突き合わせ部位まで導いて導火用棒に巻き付け状に保持させておき、導火薬層の燃焼時の熱で２本の導線間の絶縁が解消されて線間短絡を生じて電源をＯＮ作動するようにしたことを特徴とする請求項１乃至５のいずれかに記載のキャンドル装置。
【請求項７】
下部を支持台に上下動自在に支持した支柱周りに、複数個の花びら状片の基端を上下方向に開閉動自在に支持し、各花びら状片の先端部にローソクを取着し、各花びら状片が起立して閉じ位置を採る時に、各花びら状片のローソクが伏倒して燃焼芯を支柱上方で突き合わせてこの状態に保持され、燃焼芯への一斉点火で、この保持が解消されて各花びら状片が展開し、開き位置に落ち着いて点火されたローソクを各花びら状片上に直立させるキャンドル装置において、
メロディ発声回路ＩＣとスピーカーからなるメロディ発声装置をカップ状容体内またはカップ状容体下部に配置し、
前記メロディ発生装置には複数組のリード線が設けられ、
前記リード線の少なくとも１組のリード線は前記ローソクの燃焼芯近傍に延設されており、ローソクの火によってリード線が短絡することにより前記メロディ発声装置が通電するように構成されており、
前記リード線の少なくとも１組のリード線は前記支持台の外部に延設されており、該リード線を短絡させることにより前記メロディ発声装置が通電するように構成されていることを特徴とするキャンドル装置。
【請求項８】
前記メロディ発声装置は通電後所定の回数だけメロディを発声させるよう構成されていることを特徴とする請求項７記載のキャンドル装置。
【請求項９】
前記花びら状片が展開することにより前記支持台の外部に延設された前記リード線の絶縁が解消され、前記メロディ発声装置が通電するよう構成されていることを特徴とする請求項７または８に記載のキャンドル装置。
【請求項１０】
前記ローソクの少なくとも１本の燃焼芯が複数本に分かれて形成されたことを特徴とする請求項１乃至９のいずれか一つに記載のキャンドル装置。
【請求項１１】
前記ローソクの燃焼芯が少なくとも１本のローソクの燃焼芯を共有していることを特徴とする請求項１乃至１０のいずれか一つに記載のキャンドル装置。
【請求項１２】
前記ローソクの少なくとも１本の燃焼芯が環状に形成されたことを特徴とする請求項１乃至１１のいずれか一つに記載のキャンドル装置。
【発明の詳細な説明】
【技術分野】
【０００１】
本発明は、誕生パーティ、誕生会などにおけるキャンドルサービスを、より楽しく盛り上げることができるキャンドル装置に関するものであり、更に詳しくは、一般家庭に備えるマッチやライター等の火で複数本のローソクに同時点火をすることができるキャンドル装置に関するものである。
【背景技術】
【０００２】
従来より、誕生会などで行われているキャンドルサービスでは、ケーキ上に複数本のローソクを分散的に立て、これらのローソクに点火して、しばらくしてこれら全部のローソクの火を吹き消し、この後でケーキに入刀するようなことが広く行われている。ここで使用されるローソクは、ケーキ上に直接に立てられるので、ケーキ用のローソクの場合は、ローソク下部にプラスチック製のピンが取り付けてあったり、アルミ箔等で包んだようなものが多い。
【０００３】
前記するように、誕生会などで行われているケーキにローソクを立てて行われているキャンドルサービスでは、ケーキ上に立てたローソクに点火して、この火が吹き消されるまでのローソクの炎による雰囲気を楽しむものであるために、時間的には、ごく短時間で終わってしまうので、会場の盛り上がりは、さほど期待できないものである。
【０００４】
そこで、本発明の出願人は、先に、支柱周りに、複数個の花びら状片の基端を上下方向に開閉動自在に支持し、各花びら状片の先端部にローソクを取着し、各花びら状片が起立して閉じ位置を採る時に、各花びら状片のローソクが伏倒して燃焼芯が突き合わせられてこの状態に保持され、燃焼芯への一斉点火で、この保持が解消されて各花びら状片が展開し、開き位置に落ち着いて点火されたローソクを各花びら状片上に直立させるようにしたキャンドル装置を提案している。
【０００５】
このキャンドル装置によれば、ケーキ上に複数本のローソクを分散状に立てるのではなく、複数本のローソクを一括して取り扱い、ケーキ上には花びらが一斉に開くような動きを伴って点火された複数本のローソクを拡散配置するようにしたことによって、外観上の体裁も良く、装飾性が高く、誕生会などの会場を華やかな雰囲気に盛り上げることができるものである。（特許文献１参照）。
【０００６】
ところが、前記するキャンドル装置では、各花びら状片が起立して閉じ位置を採る状態、つまり、常態においては、各ローソクは伏倒して水平で放射方向の拡がりを見せ、その中心部に各ローソクの燃焼芯は先端部を寄せ合う形で突き合わせ状に保持され、これら各ローソク周りを、起立して閉じ位置を採る各花びら状片の先端部が上向きに突出して取り囲む形になっている。
【０００７】
そこで、身近にあるマッチやライター等を使用して直接に、突き合わせ状にある複数本の燃焼芯に同時点火するとなれば、火の点いたマッチ棒やライターを持つ手を、伏倒するローソクの上方から燃焼芯に近づけてマッチ棒やライターの火を燃焼芯に当てなければならないので、これには各ローソク周り取り囲む各花びら状片の先端部が邪魔になり、また、同時点火で複数本の燃焼芯から立ち上がる炎は予想も付かず、このような点火にはかなり困難な面がある。
【０００８】
そこで、前記するキャンドル装置には、各花びら状片が閉じ位置を採って伏倒する各ローソクの燃焼芯の突き合わせ部位下方に、予め、着火剤が配装してあり、また、この着火剤へ点火するために、別途、通常のマッチ棒の２〜３倍程度の長さを有する専用の点火用棒が用意されていて、燃焼芯への点火には、マッチやライター等の火を、一旦、点火用棒の先に移してこの点火棒の先の火で着火剤に点火し、着火剤の発熱量の大きな点火力で全燃焼芯への一斉点火が瞬時に確実に行われるようにしている。
【０００９】
しかし、前記するキャンドル装置においては、予め、用意された点火用棒を使用することで、身近にあるマッチやライター等が発生する火を、伏倒するローソク上から突き合わせ状に保持されている複数本の燃焼芯に安全確実に移して一斉点火させる本来の役目は十分に達成されるが、この場合の点火用棒は、複数本の燃焼芯に対して安全確実に一斉点火させるためだけに使用されるので、点火用棒による燃焼芯に対する火移し行為そのものには何の変哲もなく、面白味もないものと言える。従って、キャンドル装置としては、複数本の燃焼芯に一斉点火した後の各花びら状片の展開する動きや、各花びら状片上に灯るローソクの動きを見て楽しむようになっている。
【特許文献１】特開２００４−２００１３６号公報。
【発明の開示】
【発明が解決しようとする課題】
【００１０】
本発明は、このような状況に鑑みてなされたものであって、マッチやライター等の火で直接的に、安全確実に突き合わせ状に保持されている複数本のローソクの燃焼芯に一斉点火させることができるとともに、燃焼芯への一斉点火が行われるまでは、前座的にキャンドル装置上に花火が発生してこの花火を見て楽しむようにして会場の雰囲気を盛り上げることができるキャンドル装置を提供することを目的としたものである。
【課題を解決するための手段】
【００１１】
前記の目的を達成するために、本発明に係るキャンドル装置は、下部を支持台に上下動自在に支持した支柱周りに、複数個の花びら状片の基端を上下方向に開閉動自在に支持し、各花びら状片の先端部にローソクを取着し、各花びら状片が起立して閉じ位置を採る時に、各花びら状片のローソクが伏倒して燃焼芯を支柱上方で突き合わせてこの状態に保持され、燃焼芯への一斉点火で、この保持が解消されて各花びら状片が展開し、開き位置に落ち着いて点火されたローソクを各花びら状片上に直立させるキャンドル装置において、支柱上に、花火成分を含む導火薬層を心線周りに形成した導火用棒を立設し、該導火用棒の基部寄りの導火薬層周りに各ローソクの燃焼芯を突き合わせ状に臨ませたことを特徴とする。
【００１２】
ここで、各ローソクの燃焼芯を突き合わせ状に保持するに当たっては、燃焼芯相互を直接的に可燃性の接着剤等を用いて結合することができる。
【００１３】
このように構成された本発明に係るキャンドル装置によれば、キャンドル装置を、例えば、ケーキ上適所にセットする（立てる）などしておき、キャンドル装置上方に突出する導火用棒の上端で導火薬層にマッチやライター等の火で点火すると、導火薬層が燃焼を開始してこの燃焼により導火薬層内の花火発生成分が反応して導火用棒周りに飛び散る火花がきれいな花火になる。こうして導火薬層の燃焼が進み、その燃焼点（火もと）が各ローソクの燃焼芯の突き合わせ部位に近づくにつれて、燃焼点から発生直後の火花が導火薬層周りに伏倒状態にある各ローソクの燃焼芯上に降り掛かってこれら燃焼芯の予熱が行われ、燃焼点が燃焼芯の突き合わせ部位に差し掛かると、燃焼点の外周部で発生直後の火花の中に、各ローソクの高温化された燃焼芯先端部を取り込む形で全燃焼芯が一斉点火される。同時に燃焼芯相互の保持関係が解かれて分離し、各花びら状片が一斉に閉じ位置から展開して開き位置に落ち着く。こうして各花びら状片の先端部では、点火された各ローソクがそれぞれに直立姿勢を採って灯るようになる。
【００１４】
従って、本発明によれば、複数本のローソクへの点火は、キャンドル装置に組み付けた導火用棒を介して行われ、導火用棒の導火薬層が燃焼している間は、導火用棒周りにきれいな花火が見られるので、これが人目を惹き、装置の視覚的な華やかさを増して前座的に楽しい雰囲気を盛り上げる。そして、各ローソクの燃焼芯への一斉点火は、導火薬層の燃焼が進んでその燃焼点から発生直後の火花で伏倒状態にある燃焼芯を予熱してから燃焼点が燃焼芯に最接近して発生する火花で点火するので、各ローソクの燃焼芯への一斉点火が安全確実に行われる。
【００１５】
こうして、燃焼芯相互の保持関係が解かれた後で、各花びら状片が一斉に展開する動きの中に見るローソクの炎の動きは、別の形の花火への点火から花火の美しい拡散を思わせるような動的な動きに似たものがあり、興趣に富んだ雰囲気をかもし出すもので、装飾性が高く、誕生会などの会場を華やかな雰囲気に盛り上げることができる。
【００１６】
前記構成において、各ローソクの燃焼芯の突き合わせ部位に対応して導火用棒に、高燃焼性チューブを緩挿状に被装し、該チューブ基部を遮熱手段を介して支柱上端に支持した構成にすると、各ローソクの燃焼芯への一斉点火に当たって、導火薬層の燃焼が進み、その燃焼点が高燃焼性チューブに近づいて発生する火花でこれが着火すると、該チューブは瞬時に燃え尽きて導火用棒周りに火炎を発生し、この火炎で各ローソクの燃焼芯は一斉点火する。従って、この場合は、高燃焼性チューブが瞬時に燃え尽きる時に発生する火炎が見られる意外性があって興味をそそるものとなる。
【００１７】
また、チューブ基部の遮熱手段は、高燃焼性チューブが燃え尽きる間に発生する火炎や高熱によって、例えば、プラスチック製支柱のチューブ支持部が焼き焦げるような異常を軽減する。
【００１８】
前記構成において、実用的な遮熱手段としては、遮熱手段が、高燃焼性チューブ基部に挿入される筒部と、該筒部下端に形成したフランジを有する受け座と、受け座上にあって高燃焼性チューブに被装される遮熱環からなる構成にするのが好ましく、また、これらを支柱上端に支持するには、導火用棒下部に心線を露出させ、該心線露出部を支柱中心に設けた支持孔に着脱自在に挿着して導火用棒を支柱に支持し、また、支柱上に筒部を延設し、該筒部内に支持孔を位置させて筒部内に導火薬層基部を緩挿状に挿入し、筒部開口端に遮熱手段を構成する受け座と遮熱環を同心状に支持した構成にすると、導火用棒と高燃焼性チューブの位置関係が正しく保たれて導火薬層からの高燃焼性チューブに対する伝火がトラブルなく確実に行われる。また、導火用棒を着脱自在にしたことにより、取り扱いを便利にする。
【００１９】
前記構成において、支柱を支持する支持台に、花びら状片基部に対応して受け部を設け、該受け部内にあって支持台と支柱間に、支柱を押上げ方向に付勢するばねを配装し、ばねに抗して支柱を支持台に対して下降させて花びら状片が閉じ位置を採る時に、花びら状片基部を受け部内に引き入れ、この状態で、支持台と支柱上の筒部開口端とを可燃性の固縛紐で連結し、該固縛紐を導火用棒の導火薬層に添接させ、導火薬層の燃焼時に熱で焼き切って支柱と支持台間の固縛を解くようにした構成にすると、常態においては、各花びら状片は閉じ位置に確実に保持される。そして、各ローソクの燃焼芯への一斉点火直後に支持台に対する各花びら状片を含む可動部の固縛関係が解消されて各花びら状片は展開するので、各花びら状片が動作不良を生じることはない。
【００２０】
前記構成において、支柱を、導火用棒を立設した上部支柱と、支持台に支持した下部支柱に分断し、両支柱間にカップ状容体を挿設し、該カップ状容体内にメロディ発声回路ＩＣとスピーカーからなるメロディ発声装置を配置し、該メロディ発声装置を電源に接続するリード線の内、片方のリード線に、２本の導線を絶縁状態で捻り合わせた捻り線を用い、該捻り線基端で一方の導線をメロディ発声装置に、他方の導線を電源に接続し、捻り線遊端部を上部支柱沿いに燃焼芯突き合わせ部位まで導いて導火用棒に巻き付け状に保持させておき、導火薬層の燃焼時の熱で２本の導線間の絶縁が解消されて線間短絡を生じて電源をＯＮ作動するように構成すると、各ローソクの燃焼芯への一斉点火と同時的にメロディ発声装置の電源がＯＮ作動してスピーカーからはその場所に相応しい音楽を流すことができるので、この音楽が動きを伴うローソクの炎及び各花びら状片の動作に相乗的に加味されて楽しい雰囲気を盛り上げる。また、電源をＯＮ作動する上でスイッチを必要としないので、構造の簡素化と生産コストの低減が図られる。
【００２１】
また、下部を支持台に上下動自在に支持した支柱周りに、複数個の花びら状片の基端を上下方向に開閉動自在に支持し、各花びら状片の先端部にローソクを取着し、各花びら状片が起立して閉じ位置を採る時に、各花びら状片のローソクが伏倒して燃焼芯を支柱上方で突き合わせてこの状態に保持され、燃焼芯への一斉点火で、この保持が解消されて各花びら状片が展開し、開き位置に落ち着いて点火されたローソクを各花びら状片上に直立させるキャンドル装置において、メロディ発声回路ＩＣとスピーカーからなるメロディ発声装置をカップ状容体内またはカップ状容体下部に配置し、前記メロディ発生装置には複数組のリード線が設けられ、前記リード線の少なくとも１組のリード線は前記ローソクの燃焼芯近傍に延設されており、ローソクの火によってリード線が短絡することにより前記メロディ発声装置が通電するように構成されており、前記リード線の少なくとも１組のリード線は前記支持台の外部に延設されており、該リード線を短絡させることにより前記メロディ発声装置が通電するように構成されていることにより、このキャンドル装置に点火しなくても容易に検査することができる。
【００２２】
前記構成において、前記メロディ発声装置は通電後所定の回数だけメロディを発声させるよう構成されていることにより、パーティを更に盛り上げることができる。
【００２３】
前記構成において、前記花びら状片が展開することにより前記支持台の外部に延設された前記リード線の絶縁が解消され、前記メロディ発声装置が通電するよう構成されていることにより、火によってローソク近傍のリード線の絶縁が解消されない場合でも。花びら状片が開くことにより、リード線の絶縁が解消され、メロディ発生装置が作動することができる。
【００２４】
また、前記構成において、ローソクの少なくとも１本の燃焼芯が複数本に分かれて形成されたことにより、燃焼芯を容易に取着管に取付けることができると共に、燃焼芯への点火ミスを低減することができる。
【００２５】
また、前記構成において、ローソクの燃焼芯が少なくとも１本のローソクの燃焼芯を共有していることにより、少なくとも１本の燃焼芯に火が移っただけで複数本のローソクに点火することができる。
【００２６】
また、前記構成において、ローソクの少なくとも１本の燃焼芯が環状に形成されたことにより、燃焼芯への点火ミスを低減することができる。
【発明の効果】
【００２７】
本発明は、以上説明したような形態で実施され、本発明によれば、複数本のローソクの燃焼芯への点火は、装置中央に立設した導火用棒を介して行われ、この導火用棒に対する点火は、マッチやライター等を使用して安全確実にでき、この後は、導火用棒の導火薬層が燃焼して飛び散る火花で、装置上に発生するきれいな花火を見て楽しんだ後、伏倒位置を採る各ローソクの燃焼芯への同時点火から、各ローソクと一体に各花びら状片が展開して各花びら状片が開き位置に落ち着いて各花びら状片上で点火されたローソクが燃えるのが順番に見られるので、キャンドル装置の装飾性を一段に高めることができて興趣に富み、誕生会などの会場を華やかな雰囲気に盛り上げるのに有効なものである。
【発明を実施するための最良の形態】
【００２８】
以下、図面を参照しながら、本発明の実施例に係るキャンドル装置について具体的に説明する。
【００２９】
図１は本発明に係るキャンドル装置の花びら状片が開き位置を採る時のキャンドル装置の概略縦断面図、図２は要部の分解斜視図、図３は花びら状片が開き位置を採る時のキャンドル装置の斜視図、図４は花びら状片が閉じ位置を採る時のキャンドル装置の側面図、図５は花びら状片が閉じ位置を採る時のキャンドル装置の平面図である。
【００３０】
なお、本発明に係るキャンドル装置において、導火用棒の心線周りに形成する導火薬層は、燃焼によってその形態が大きく変化するので、図面では図面を理解し易くするために、導火薬層の燃焼後の形態は示さず、燃焼前のままで図示している。また、導火用棒に被装する高燃焼性チューブについても、燃焼によりほとんど原形をとどめず消滅するので、図面では図面を理解し易くするために、これも燃焼前のままで図示している。
【００３１】
各図において、１は支柱を示す。実施例１の支柱１は、下部支柱１ａ及び上部支柱１ｂからなる。
【００３２】
下部支柱１ａ周りに、複数個の花びら状片２の基端２ａを上下方向に開閉動自在に支持している。下部支柱１ａに対する花びら状片２の支持のために、下部支柱１ａ上に、周部沿いに空洞を形成した円盤状の支持盤３を設け、この支持盤３周壁に設けた長孔４から空洞内に、Ｔ字状に抜け止め突起を設けた花びら状片２の基端２ａを挿入して支持し、各花びら状片２は基端２ａを支点にして閉じ位置を採る時は支持盤３周りに起立し、開き位置を採る時は支持盤３周りに放射方向に張り出すようにしている。
【００３３】
各花びら状片２の先端部にローソク５を取着している。このローソク５は、各花びら状片２に設けた取着管６に挿着され、その長さは、各花びら状片２が閉じ位置を採る時に、ローソク５は伏倒してその燃焼芯５ａを突き合わせ状になるように設定している。また、花びら状片２が展開して開き位置を採る時は、各花びら状片２上でローソク５は直立状になるようにしている。
【００３４】
下部支柱１ａは支持台７に上下動自在に支持されており、支持台７の上部には、支持盤３に対応して皿状に窪ませた受け部８を設け、この受け部８内にあって支持台７と支持盤３間に、下部支柱１ａを押上げ方向に付勢するばね９を配装し、このばね９に抗して下部支柱１ａを支持台７に対して下降させて花びら状片２が閉じ位置を採る時に、花びら状片２の基部を支持盤３と共に受け部８内に引き入れるようにしている。
【００３５】
支持台７は、自立のために３本の支脚１０ａを有する台座１０に着脱自在に支持されおり、このために支持台７下部には、下部支柱１ａを上下動自在に覆い、下端１１ａを尖端状に形成した中空刺脚１１を設け、この中空刺脚１１を台座１０に設けた支持孔１０ｂに着脱自在に挿着している。
【００３６】
下部支柱１ａと上部支柱１ｂ間に、カップ状容体１２を挿設している。このカップ状容体１２は、前記支持盤３の上面を底面にして支持盤３上に周壁を立ち上げて形成し、容体１２に被せた蓋体１２ａの中央部に上部支柱１ｂを突設している。実施例１の上部支柱１ｂは、蓋体１２ａの中央部に突設した支持突起に固定されている。
【００３７】
上部支柱１ｂには、心線１３ａ周りに花火発生成分を含む導火薬層１４を形成した導火用棒１３を立設している。この導火用棒１３は、その下部に心線１３ａを露出させ、この心線露出部を上部支柱１ｂの中心に設けた支持孔１５に着脱自在に挿着して導火用棒１３を上部支柱１ｂ上に突設している。
【００３８】
また、上部支柱１ｂ上に筒部１６を延設しており、この筒部１６内に支持孔１５を位置させて、筒部１６内に導火用棒１３の導火薬層１４基部を緩挿状に挿入し、上部支柱１ｂ上において、導火用棒１３の基部寄りの導火薬層１４周りに各ローソク５の燃焼芯５ａを突き合わせ状に臨ませ、常態では、各ローソク５の燃焼芯５ａを突き合わせ状に保持している。
【００３９】
ここで、導火薬層１４周りに各ローソク５の燃焼芯５ａを直接的に突き合わせ状に臨ませた構成でもよい。
【００４０】
この場合の各ローソク５の燃焼芯５ａに対する一斉点火は、導火用棒１３の上端で導火薬層１４にマッチやライター等の火で点火すると、導火薬層１４が燃焼を開始して導火用棒１３周りに飛び散る火花がきれいな花火になり、導火薬層１４の燃焼点（火もと）が各ローソク５の燃焼芯５ａの突き合わせ部位に近づくと、燃焼点から発生直後の火花が導火薬層１４周りに伏倒状態にある各ローソク５の燃焼芯５ａ上に降り掛かって燃焼芯５ａの予熱が行われ、燃焼点が燃焼芯５ａの突き合わせ部位に差し掛かると、燃焼点の外周部で発生直後の火花の中に、各ローソク５の高温化された燃焼芯先端部を取り込む形で全燃焼芯５ａが一斉点火される。
【００４１】
前記する各ローソク５の燃焼芯５ａに一斉点火する時を、面白く演出するために、図に示す実施例１では、導火薬層１４周りに各ローソク５の燃焼芯５ａを間接的に突き合わせ状に臨ませる構成を採用している。
【００４２】
すなわち、上部支柱１ｂの筒部開口端上で、導火用棒１３に高燃焼性チューブ１７を被装し、この高燃焼性チューブ１７の基部を遮熱手段を介して支柱上端に筒部開口端に支持し、高燃焼性チューブ１７周りに各ローソク５の燃焼芯５ａを突き合わせ状に臨ませている。この実施例１の遮熱手段は、高燃焼性チューブ１７の基部に挿入される筒体と、筒体下端に形成したフランジを有する金属製の受け座１８と、この受け座１８上で高燃焼性チューブ１７に被装される金属製の遮熱環１９からなり、これらを支持するために、上部支柱１ｂの筒部開口端に、受け座１８のフランジが着座する段部１８ａと、この段部１８ａの上部に、遮熱環１９が着座する段部１９ａを段階状に周設し、先に受け座１８付きの高燃焼性チューブ１７を導火用棒１３に緩挿して受け座１８のフランジを筒部開口端の段部１８ａに着座させ、この上に遮熱環１９を挿入してこれを筒部開口端の段部１９ａに着座させ、チューブ１７基部を受け座１８間に挟む形にして同心状に支持し、高燃焼性チューブ１７と導火薬層１４間には全周的に僅かな隙間を形成している。
【００４３】
この場合の各ローソク５の燃焼芯５ａに対する一斉点火は、導火用棒１３の上端で導火薬層１４にマッチやライター等の火で点火すると、導火薬層１４が燃焼を開始して導火用棒１３周りに飛び散る火花がきれいな花火になり、導火薬層１４の燃焼点（火もと）が導火薬層１４周りに被装した高燃焼性チューブ１７の所まで到達すると、導火用棒１３周りに飛び散る火花で高燃焼性チューブ１７が着火して強力な火炎を発生して瞬時に燃え尽きる。この時に発生する火炎に各ローソク５の燃焼芯５ａが曝されて一斉点火される。また、筒部１６の上部は遮熱環１９が設けられているため、導火用棒１３に着火した火が遮熱環１９の下側の筒部１６内にきたときには、空間が部分的に閉ざされているので、火の回りの温度が高温になる。これにより、高燃焼性チューブ１７を用いなくても、後述するように、リート線２４を遮熱環１９の下側の筒部１６内に設けることにより、この高温になった熱でリード線２４の絶縁層を溶かすことができる。
【００４４】
また、図に示す実施例１では、常態、すなわち、ばね９に抗して下部支柱１ａを支持台７に対して下降させて、花びら状片２を閉じ位置に保持するために、支持台７と上部支柱１ｂの筒部開口端とを可燃性の固縛紐２０で連結している。この固縛紐２０は、その下端を支持台７に固定し、上端は上部支柱１ｂに向けて可及的近道で邪魔にならないようにして適所に設けた通孔等に通して上部支柱１ｂの筒部開口端のところまで導き、筒部開口端に切欠き状に設けた係止溝２１に引っ掛け状に固定し、筒部１６内で導火用棒１３の導火薬層１４に添接させて導火薬層１４の燃焼熱で焼き切れるようにしている。この固縛紐２０は一般的に可燃性の材質である綿、ナイロン等が用いられるがこの限りではない。
【００４５】
ここで、固縛紐２０が焼き切れた後の各花びら状片２の展開は、ばね９の反発力により支持台７に対して下部支柱１ａに支持した各花びら状片２等を含む可動部を押し上げて各花びら状片２は受け部８上に展開する。この時に受け部８上では、各花びら状片２の基部が上向きに動くのに連れて、ローソク５が取着された先端部は下向きに動く興味をそそる動きをして各花びら状片２は受け部８上に一様に支持される。
【００４６】
また、各花びら状片２が展開を開始して受け部８上に落ち着くまでの時間が早すぎないようにするために、支持台７に対する下部支柱１ａの摺動部には粘着剤等が塗布されて時間調整が行われるので、各花びら状片２の展開時の動作速度からしても人目を惹くようになり、華やかな雰囲気を盛り上げるのに効果がある。
【００４７】
また、図に示す実施例１では、カップ状容体１２内にメロディ発声回路ＩＣとスピーカーからなるメロディ発声装置２２を配置している。このメロディ発声装置２２の電源２３をＯＮ・ＯＦＦするために、メロディ発声装置２２と電源２３とを接続する片方のリード線２４に、簡単に焼失するような熱に弱い薄い絶縁層を形成した２本の導線を絶縁状態で捻り合わせた捻り線を用い、この捻り線基端で一方の導線をメロディ発声装置２２に、他方の導線を電源２３に接続し、捻り線遊端部を上部支柱１ｂ沿いに筒部開口端のところまで導いて導火用棒１３に緩く巻き付け状に保持させておき、導火薬層１４が燃焼する時の燃焼熱で２本の導線間の絶縁層が焼失して線間短絡を生じて電源２３をＯＮ作動するようにしている。また、導火用棒１３とリード線２４との摩擦により絶縁層が剥がれて短絡し、メロディ発生装置２２が誤作動を起こさないようにするために、導火用棒１３にリード線２４を巻き付け状に保持させる代わりに、係止溝２１の近傍または筒部１６の内部にリード線２４を導火用棒１３と接触しないように通過させて設けてもよい。
【００４８】
なお、図中２５は、前記花びら状片２の上側に位置して支持盤３周りに基端２５ａを上下方向に開閉動自在に支持した小型の花びら状片で、この小型の花びら状片２５は、華やかさを増すためのもので、前記花びら状片２同様に、Ｔ字状に抜け止め突起を設けた基端２５ａを支持盤３周壁に設けた空洞内に挿入して支持させており、花びら状片２に連られる形で開閉動される。
【００４９】
以上のように構成された実施例１に示されたキャンドル装置においては、先ずは、キャンドル装置を、例えば、ケーキ上適所にセットする（立てる）などしておき、身近にあるマッチやライターを使用して導火用棒１３の上端で導火薬層１４に点火すると、導火薬層１４が燃焼を開始して燃焼点が、導火用棒１３基部に向けて進行する過程で、導火用棒１３周りに飛び散る火花によるきれいな花火が装置上に見られ、後に続く複数本のローソク５の燃焼芯５ａへの同時点火の前座的な楽しみとして会場の雰囲気を盛り上げる。
【００５０】
導火薬層１４の燃焼が進行して燃焼点が高燃焼性チューブ１７の所まで到達すると、この高燃焼性チューブ１７が強力な火炎を発生して瞬時に燃え尽き、この時の火炎に各ローソク５の燃焼芯５ａが曝されて一斉点火される。この時にチューブ１７が短時間に燃え尽きて見られる強力な火炎の発生は、意外性があって興味をそそり、各ローソク５の燃焼芯５ａへの一斉点火を面白く演出する。
【００５１】
また、燃焼芯５ａへの点火と同時的に、支持台７と上部支柱１ｂの筒部開口端とを連結している固縛紐２０が焼き切れて、各花びら状片２の展開が始まり、ここでの各花びら状片２の展開は、ばね９が下部支柱１ａに支持した各花びら状片２等を含む可動部を押し上げて各花びら状片２は受け部８上に展開するが、ここで見られる各花びら状片２が一斉に展開する動きの中に見るローソク５の炎の動きは、別の形での花火への点火から花火の美しい拡散を思わせるような動的な動きに似たものがあって、興趣に富んだ華やかな雰囲気をかもし出す。
【００５２】
更に、燃焼芯５ａへの点火と同時的に、導火用棒１３に緩く巻き付け状に保持させてある２本の導線からなる捻り線が、線間短絡を生じてメロディ発声装置２２の電源２３をＯＮ作動し、スピーカーからはその場所に相応しい音楽を流すので、この音楽が誕生会などの会場を楽しい雰囲気に盛り上げるのに効果がある。
【００５３】
次に、他の実施形態について説明する。
【００５４】
図６は、図４に検査用スイッチをつけた斜視図である。図７は、図６の一部断面図である。図８は、図７の花びら状片が開いたときの状態の図である。図９は、図６の検査用スイッチの構成を変えた斜視図である。図１０は図９の一部断面図である。図１１は図１０の花びら状片が開いたときの状態の図である。
【００５５】
図６に示すように、支持台７の外側の花びら状の部分に検査用スイッチ２８が設けられており、図７に示されているように、ニクロム線（リード線）２９は、検査用スイッチ２８から支持台７の外側の花びら状の部分に沿って、メロディ発生装置２６に収容された電源に至るように接続されている。またニクロム線２４はメロディ発生装置２６と導火用棒１３とをつなぐように設けられ、前記ニクロム線２９と電気的に並列に配線されている。このような構成にすることにより、ローソク等に実際に点火しなくても、検査用スイッチ２８を押すだけで、メロディ発生装置２６の機能検査（音声または楽曲発生有無等の確認）ができ、商品の販売前またはお客様の商品購入前に商品の機能確認ができ、販売後または購入後に不良品がでまわることを低減させることができる。そして、キャンドル装置内の蓋体１２ａ上にはマスコット７０を設置することもできる。また、図９、図１０に示すように、他の実施形態の検査用スイッチ３１では、検査用スイッチ３１を外側に突出させ、その中央近傍に絶縁体３３が挿入されている。そして、この検査用スイッチ３１は＋極と−極とが外側近傍で露出しており、検査時には予め用意された通電用の通電具３２をこの露出部に当てて機能確認を行う。また、検査時以外では、図１１に示すように、ローソクの火により花びら状片を支えていた固縛紐２０が焼き切られ、花びら状片の開く動きに連動して前記スイッチ３１が上昇し、検査用スイッチ３１が通電するようになる。これにより、ローソク近傍のニクロム線２４の絶縁が解消されない場合でも、点火されたローソクが装着された花びら状片の開く動作と共に、メロディ発生装置３０から音声または楽曲が出力され、パーティを盛り上げることができる。
【００５６】
図１２は、キャンドル装置の図であり、（ａ）は上方から見た図、（ｂ）は（ａ）に使われている連結型ローソクの図である。
【００５７】
図１２（ｂ）に示すように、一つの芯３４ｂを共有してその両端にロウ３４ａが取り付けてある連結型ローソク３４を、図１２（ａ）に示すように、取着管６に取り付ける際、導火用棒１３を中心軸として対角線上に取着管６に取り付け、これを複数本の連結型ローソク３４に対して行う。取着管６に取り付けられた連結型ローソクは、芯３４ｂの部分が導火用棒１３と接するように設けられているので、点火された導火用棒１３の火が芯３４ｂと接する部分に達したときに、効率よく芯３４ｂに火が燃え移ることができる。
【００５８】
図１３は、キャンドル装置の図であり、（ａ）は上方から見た図、（ｂ）は（ａ）に使われている環状芯ローソクの図である。
【００５９】
図１３（ｂ）に示すように、芯３６ｂの部分が環状になっている環状芯ローソク３６は、芯３６ｂを環状に形成後、その先端を再びロウ３６ａの中に挿入して固められた構成になっている。そして、芯３６ｂを環状に形成された環状芯ローソク３６は、図１３（ａ）に示すように、芯３６ｂの環状部が導火用棒１３に通され、導火用棒１３を中心に放射線上に配置されている。また、芯３６ｂが環状になっているため、万一導火用棒１３の火がすぐに芯３６ｂに移らなかった場合、環状芯ローソク３６が装着されている花びら状片は開くことができないので、完全に火が移るまで、芯は導火用棒１３に接していることになり、ローソクへの点火ミスを低減することができる。
【００６０】
図１４は、キャンドル装置の図であり、（ａ）は上方から見た図、（ｂ）は（ａ）に使われている長芯ローソクの図である。
【００６１】
図１４（ｂ）に示すように、ロウ３８ａに芯３８ｂが取付けられ、芯３８ｂの部分が長くなっている長芯ローソク３８は、一般のローソクに比べて芯の部分が極端に長く形成されている。この長芯ローソク３８は、図１４（ａ）に示すように、取着管６に少なくとも一つ取り付けられ、取着管６に同様に取り付けられた他のローソクの芯と接するように構成されており、またこの芯３８ｂは導火用棒１３を囲むように配置されている。このように形成することで、容易にローソクを設置でき、点火ミスを低減することができる。
【００６２】
図１５は、キャンドル装置の図であり、（ａ）は上方から見た図、（ｂ）は（ａ）に使われているＶ形芯ローソクの図、（ｃ）は（ｂ）のローソクの芯の部分を複数本にした複数芯ローソクの図である。
【００６３】
図１５（ｂ）に示すように、ロウ４０ａから二股に分かれて芯４０ｂが取付けられ、芯４０ｂの部分がＶ形になっているＶ形芯ローソク４０は、取着管６に取り付けられ、その芯４０ｂの部分は、図１５（ａ）に示すように、導火用棒１３を挟む形で配置されている。このように形成することで、導火用棒１３の火がローソクに伝わる際、火が芯に移りやすくなり、ローソクへの点火ミスを低減することができる。また、図１５（ｃ）に示すように、ロウ４１ａから複数本の芯４１ｂに分かれた複数芯ローソク４１を用いることにより、更に火が芯に移りやすくすることもできる。
【００６４】
図１６は、導火用棒がない場合のローソクの束ね方を模式的に示した図であり、（ａ）は束ねる前の状態を示した図、（ｂ）は（ａ）の状態から芯を捻った後の図、（ｃ）は（ａ）の状態から芯を合わせてロウ等で固定した後の図である。
【００６５】
図１６（ａ）に示すように、導火用棒１３を使わずに、ローソクのみで点火部分を形成させる場合、ローソクの芯を長めにして束ねる必要がある。このとき、取着管６に取り付けられたローソクを３本束ねる場合、まず、芯の先端部分を互いに寄せ合わせ、その後、図１６（ｂ）に示すように、芯の先端部分を捻り合わせる方法と、図１６（ｃ）に示すように、寄せ合わせた先端部分をロウ３７等で固定する方法とがある。図１６（ｂ）に示すような捻り合わせる方法では、３本の芯を手で捻り合わせるだけであるため特別な工具を必要としないが、捻り合わせるのに手間がかかる。一方、図１６（ｃ）に示すような先端部分をロウで固定する方法では、捻り合わせるのに手間はかからないが、所定の位置にロウを固定させるための工具等が必要となり、設備投資コストがかかる。
【００６６】
図１７は、図１６のローソクを取着管に取り付け、花びら状片が閉じたときの図であり、一つの上部支柱によって支持されたときのキャンドル装置の断面図である。
【００６７】
図１７に示すように、複数本のローソクの芯３９は、花びら状片２が閉じた状態でキャンドル装置の略中心で束ねられており、その束ねられたローソクの芯３９は、花びら状片２の上部支柱８０の上端部８０ａと接している。また、この上部支柱８０の上端部８０ａの近傍には固縛紐２０をかけることが出来るように孔または切欠が形成され、この固縛紐２０は花びら状片２を開かないように支持台７と連結している。そして、上部支柱８０にかけられた固縛紐２０は、ローソクの芯３９と接するように取り付けられているので、ローソクの芯３９が点火されて芯の上端からロウの部分に燃え移る間に、この固縛紐２０にも燃え移り、その後この固縛紐２０が燃え切られて花びら状片２が開くように構成されている。
【００６８】
図１８は、図１７の上部支柱を２本用いた場合のキャンドル装置の断面図である。
【００６９】
図１８に示すように、２本の上部支柱８１は、キャンドル装置の略中心軸近傍に形成されており、２本の上部支柱８１には支持台７に連結するための固縛紐２０が束ねられた芯３９と接するようにかけられている。こうすることにより、芯３９の上端で点火されて燃え移ってきた火が固縛紐２０の部分にきた際、固縛紐２０と火との接する範囲が広くなるため、図１７の１本の上部支柱８０にかけられた固縛紐２０よりも、容易に固縛紐２０を焼き切ることができ、花びら状片２を速やかに開かせることができる。これにより、パーティをスムーズに進行させて盛り上げていくことができる。
【００７０】
図１９は、３つの形態例の上部支柱の正面図であり、（ａ）は固縛紐がかかる部分に孔を設けた上部支柱、（ｂ）は固縛紐がかかる部分を略半円状に切欠いた上部支柱、（ｃ）は固縛紐がかかる部分を略長方形状に切欠いた上部支柱である。
【００７１】
図１９（ａ）に示すように、上部支柱８２の上端部に孔８２ａを設けた場合、固縛紐２０を通すのに手間がかるが、上下左右から固縛紐２０が外れることがないので、予想に反して花びら状片２が開くことを防止することができる（図１７参照）。図１９（ｂ）に示すように、上部支柱８３の上端部を略半円状８３ａに切欠いた場合、固縛紐２０を容易にかけることができるが、意に反して上方から糸が外れて花びら状片２が開く恐れがある（図１７参照）。また、図１９（ｃ）に示すように、上部支柱８４の上端部を略長方形状８４ａに切欠いた場合、固縛紐２０を容易にかけることができるが、上方からの糸の外れは、図１９（ｂ）に比べると図１９（ｃ）は、上端部が略長方形状８４ａに切欠いているので、切欠を滑って上方から糸が外れることを低減することできる。
【００７２】
図２０−１は、花びら状片にローソクを取り付けるときの図であり、（ａ）は分解図であり、（ｂ）は取り付け後の一部断面図である。図２０−２は、他の取着管の拡大図であり、（ａ）は平面図、（ｂ）は側面からみたときの一部断面図。
【００７３】
図２０−１（ａ）に示すように、花びら状片２にローソクを取り付けるときに必要な構成は、花びら状片２に直接取り付ける筒状の鍔部８６ａを有するクリップ８６と、クリップ８６に挿入する消火剤８５とが必要になる。このクリップ８６は鍔部８６ａを有しているので、取着管６の所定位置に取付けることができる。組付ける手順としては、図２０−１（ｂ）に示すように、取着管６にローソクを固定させるためのクリップ８６を鍔部８６ａが取着管６に接するまで挿入し、このクリップ８６の中に筒状の消火剤８５を入れ、ローソクをこの筒状の消火剤８５の中に挿入する。こうすることで、火が燃え移って取着管６の近傍までくると、取着管６に挿入された消火剤８５により火はそれ以上燃え移らないようになっている。
【００７４】
図２０−２は、他の取着管の図であり、（ａ）は平面図、（ｂ）は正面からみた一部断面図である。
【００７５】
図２０−２に示すように、この取着管８７は略円筒状をしており、取着管の内壁には等間隔で突起８８が形成されている。また、取着管８７のローソク５挿入側には傾斜部８９が形成され、ローソク５が挿入し易いようになっている。そして、突起８８の取着管８７の中心軸側には湾曲部９１が形成され、この湾曲部９１がローソク５のロウの部分に噛み込んでローソク５を固定することができるようになっている。また、等間隔に並んだ突起８８の間には消火剤９０が充填されている。この消火剤９０は取着管８７の中心軸側に突起８８を乗り越えない程度に充填されており、ローソク５と突起８８との間に消火剤９０が入り、ローソクが滑ることにより生じるローソク５の取着管８７からの抜け落ちを防止することができる。
【００７６】
図２１は、一つの花びら状片の閉状態の図であり、（ａ）は正面図、（ｂ）は背面図、（ｃ）は側面から見た一部断面図である。
【００７７】
図２１（ａ）（ｂ）（ｃ）に示すように、花びら状片２はしゃもじ状に形成されており、図２１（ｂ）に示すように、花びら状片の中央部近傍には取着管６が取り付けられており、この取着管６の下側には、ロウの垂れ防止用のストッパー４２が取り付けられている。このストッパー４２は略半筒形に形成されており、ローソクが燃えて溶け出した場合、ロウが花びら状片２を伝ってテーブルやケーキなどの上に落ちることを防止することができる。
【００７８】
図２２は、メロディ発生装置の回路を示した概略図であり、（ａ）は表側を示した図、（ｂ）は裏側を示した図である。図２３は、基部に基盤を挿入するときの模式図である。
【００７９】
図２２に示すように、メロディ発生装置の回路は、電池４３、ＩＣチップ４４、コンデンサー４６、ダイオード４５、ニクロム線４９、５０、を基盤４８の表側に配置し、スピーカー４７を基盤４８の裏側に配置するように構成されている。ニクロム線４９、５０には、燃焼スイッチ用ニクロム線４９と検査スイッチ用ニクロム線５０とがあり、それぞれ並列に基盤に取付けられている。また、ＩＣチップ４４は電気的に電池４３、コンデンサー４６、ダイオード４５、スピーカー４７、ニクロム線４９、５０に接合している。この回路により、燃焼スイッチ用ニクロム線４９または検査スイッチ用ニクロム線５０が短絡されると、スピーカー４７から音声が流れるようになっている。そして、この回路は所定の回数音声が流れると自動的に音声が止まるようになっており、室内を暗くして楽しむパーティにおいては、スイッチを切る手間が省け、気分を継続して盛り上げることができる。また、図２３に示すように、基盤４８は下向きの略台形状をしており、カップ状容体１２に基盤４８を収容できるように、基盤４８の左右両端及び下端のカップ状容体１２と対向する位置にリブ５３、５４、５５が突設されている。このリブ５３、５４、５５は鉛直方向に設けられており、基盤４８と対向する側にはそれぞれ溝５３ａ、５４ａ、５５ａが形成されている。基盤４８はカップ状容体１２の鉛直上方から溝５３ａ、５４ａに沿って挿入され、溝５５ａに嵌合することにより基盤４８はカップ状容体１２に固定されるようになる。また、基盤２８はカップ状容体１２に取付ける際、カップ状容体１２に干渉しないように、基盤２８の下側の両端に傾斜部４８ａ、４８ｂを有している。
【００８０】
図２４は、キャンドル装置の分解図である。
【００８１】
図２４に示すように、キャンドル装置は中空刺脚１１を有する部分と、台座１０と、固定皿９２とを有しており、キャンドル装置の中空刺脚１１を台座に挿入し、この組付けられた状態で、固定皿９２の取付孔９２ａに支脚１０ａを挿入して固定するようになっている。この固定皿９２を設けることにより、花びら状片２が開いたときの安定性を増すことができる。
【００８２】
図２５は、更に他の一つの実施形態のメロディ発生装置の回路を有する円形状基盤を示した図である。
【００８３】
図２５に示すように、円形状基盤６０は中央部に開口６０ａを有するように形成されており、この円形状基盤６０には中心Ｏを挟んだ位置に略半円状の切欠き６３、６４が形成されており、円形基盤６０の半径方向の略中央部近傍には孔６５、６６が形成されている。また、支持台７にはキャンドル装置の下方から上方にわたって突部６７、６８が形成されており、支持台７の下側には突起６９、７０が形成されている。円形基盤６０の取付け方法は、まず円形基盤６０の開口６０ａを支持台７に通し、切欠き６３、６４が突部６７、６８及び孔６５、６６が突起６９、７０と嵌合することにより、円形状基盤６０が支持台７に固定される。まが、突起６９、７０は嵌合自在に形成されている。このようにすることにより、円形状基盤６０が容易に着脱され、円形状基盤６０に取り付けられた電池等の交換を容易に行うことができる。
【００８４】
図２６は、円形状基盤を有するキャンドル装置の台座が組み付く前の一部断面図である。図２７は、円形状基盤を有するキャンドル装置の台座が組み付いた後の一部断面図である。
【００８５】
図２６に示すように、支持台７に円形状基盤６０が取り付けられた状態で、台座９３をキャンドル装置の下方から挿入し、支持台７のところで嵌合され固定される。支持台７には円筒状の嵌合部７ａを有している。また、台座９３には円形状基盤６０を収容するための鍋状の基盤収容部９３ａが設けられている。この基盤収容部９３ａの直径はわずかに嵌合部７ａの直径より大きく形成されており、基盤収容部９３ａが嵌合部７ａに外嵌するように形成されている。そして、図２７に示すように、円形状基盤６０及び台座９３が組み付けられた状態のキャンドル装置は、台座９３と支持台７で円形状基盤６０をキャンドル装置内に収容しているため、円形状基盤６０が容易にキャンドル装置から外れることはない。一方、電池の交換などのメンテナンス時においては、台座９３をキャンドル装置の下方へ取り外すだけですむので、簡単に取り外すことができる。
【産業上の利用可能性】
【００８６】
本発明は、キャンドル装置を構成する複数本の動きを伴うローソクの燃焼芯に対する一斉点火は、装置に立設した導火用棒に、身近にあるマッチやライター等を使用して安全確実に行われ、導火用棒自体も装置上で花火を発生して前座的に花火が楽しめるので、一般家庭における家族の誕生会や結婚式場等で、会場を華やかな雰囲気に盛り上げるのに、多方面で手軽に使用できる。また、導火用棒を用いない場合でも、燃焼芯の束ね方を工夫することにより、ローソクの点火ミスを減らし、花火がなくてもローソクの一斉点火を楽しむような誕生会や結婚式場等で使うことができる。
【図面の簡単な説明】
【００８７】
【図１】本発明に係るキャンドル装置の花びら状片が開き位置を採る時のキャンドル装置の概略縦断面図である。
【図２】本発明に係るキャンドル装置要部の分解斜視図である。
【図３】花びら状片が開き位置を採る時のキャンドル装置の斜視図である。
【図４】花びら状片が閉じ位置を採る時のキャンドル装置の側面図である。
【図５】花びら状片が閉じ位置を採る時のキャンドル装置の平面図である。
【図６】図４に検査用スイッチをつけた斜視図である。
【図７】図６の断面図である。
【図８】図７の花びら状片が開いたときの断面図である。
【図９】図６の検査用スイッチの構成を変えた斜視図である。
【図１０】図９の断面図である。
【図１１】図１０の花びら状片が開いたときの断面図である。
【図１２】キャンドル装置の図であり、（ａ）は上方から見た図、（ｂ）は（ａ）に使われている連結型ローソクの図である。
【図１３】キャンドル装置の図であり、（ａ）は上方から見た図、（ｂ）は（ａ）に使われている環状芯ローソクの図である。
【図１４】キャンドル装置の図であり、（ａ）は上方から見た図、（ｂ）は（ａ）に使われている長芯ローソクの図である。
【図１５】キャンドル装置の図であり、（ａ）は上方から見た図、（ｂ）は（ａ）に使われているＶ状芯ローソクの図である。
【図１６】導火用棒がない場合のローソクの束ね方を模式的に示した図であり、（ａ）は束ねる前の状態を示した図、（ｂ）は（ａ）の状態から芯を捻った後の図、（ｃ）は（ａ）の状態から芯を合わせてロウ等で固定した後の図である。
【図１７】図１６のローソクをキャンドル装置に取り付け、花びら状片が閉じたときの図であり、一つの上部支柱によって支持されたときのキャンドル装置の断面図である。
【図１８】図１７の上部支柱を２本用いた場合のキャンドル装置の断面図である。
【図１９】３つの形態例の上部支柱の正面図であり、（ａ）は糸がかかる部分に孔を設けた上部支柱、（ｂ）は糸がかかる部分を略半円状に切欠いた上部支柱、（ｃ）は糸がかかる部分を略長方形状に切欠いた上部支柱である。
【図２０−１】花びら状片にローソクを取り付けるとき図であり、（ａ）は分解図であり、（ｂ）は取り付け後の一部断面図である。
【図２０−２】他の取着管の拡大図であり、（ａ）は平面図、（ｂ）は側面からみたときの一部断面図。
【図２１】一つの花びら状片の閉状態の図であり、（ａ）は正面図、（ｂ）は背面図、（ｃ）は側面から見た一部断面図である。
【図２２】メロディ発生装置の回路を示した概略図である。図２３は、基部に基盤を挿入するときの模式図である。
【図２３】基部に基盤を挿入するときの模式図である。
【図２４】キャンドル装置の分解図である。
【図２５】メロディ発生装置の回路を有する円形状基盤を示した図である。
【図２６】円形状基盤を有するキャンドル装置の台座が組み付く前の一部断面図である。
【図２７】円形状基盤を有するキャンドル装置の台座が組み付いた後の一部断面図である。
【符号の説明】
【００８８】
１  支柱
１ａ  下部支柱
１ｂ  上部支柱
２  花びら状片
２ａ  花びら状片基端
３  支持盤
４  長孔
５  ローソク
５ａ  燃焼芯
６  取着管
７  支持台
８  受け部
９  ばね
１０、９３  台座
１０ａ  支脚
１０ｂ  支持孔
１１  中空刺脚
１１ａ中空刺脚下端
１２  カップ状容体
１２ａ  蓋体
１３  導火用棒
１３ａ  心線
１４  導火薬層
１５  支持孔
１６  筒部
１７  高燃焼性チューブ
１８  受け座
１８ａ  段部
１９  遮熱環
１９ａ  段部
２０  固縛紐
２１  係止溝
２２、２６、３０  メロディ発声装置
２３  電源
２４  リード線
２５  花びら状片（小型）
２５ａ  花びら状片基端
２８、３１  検査用スイッチ
３３  絶縁体
３４  連結型ローソク
３６  環状芯ローソク
３８  長芯ローソク
４０  Ｖ形芯ローソク
４２  ストッパー
７０  マスコット
６０  円形状基盤
９２  固定皿
【図１】
2006202736.tif 000003
【図２】
2006202736.tif 000004
【図３】
2006202736.tif 000005
【図４】
2006202736.tif 000006
【図５】
2006202736.tif 000007
【図６】
2006202736.tif 000008
【図７】
2006202736.tif 000009
【図８】
2006202736.tif 000010
【図９】
2006202736.tif 000011
【図１０】
2006202736.tif 000012
【図１１】
2006202736.tif 000013
【図１２】
2006202736.tif 000014
【図１３】
2006202736.tif 000015
【図１４】
2006202736.tif 000016
【図１５】
2006202736.tif 000017
【図１６】
2006202736.tif 000018
【図１７】
2006202736.tif 000019
【図１８】
2006202736.tif 000020
【図１９】
2006202736.tif 000021
【図２０−１】
2006202736.tif 000022
【図２０−２】
2006202736.tif 000023
【図２１】
2006202736.tif 000024
【図２２】
2006202736.tif 000025
【図２３】
2006202736.tif 000026
【図２４】
2006202736.tif 000027
【図２５】
2006202736.tif 000028
【図２６】
2006202736.tif 000029
【図２７】
2006202736.tif 000030